(57)【要約】【課題】完全な目隠し性を確保することができるとともに、通風性も十分に確保することができ、かつ外観上もユニークで、経済性や製造工程上も有利な柵の構造を提供する。【解決手段】複数の板部材２１、２２が長手方向に連接されてなる柵部材２０が端枠部１１、１２内に並設された柵であって、前記柵部材２０は、互いに非接触であるとともに、前記板部材２１，２２によって柵の面方向１０Ａすべてに対して透視性が遮断される位置関係で重合配置されている。【選択図】図１
2007291712.tif 000002
【特許請求の範囲】
【請求項１】
複数の板部材が長手方向に連接されてなる柵部材が端枠部内に並設された柵であって、前記柵部材は、互いに非接触であるとともに、前記板部材によって柵の面方向すべてに対して透視性が遮断される位置関係で重合配置されていることを特徴とする柵の構造。
【請求項２】
前記柵部材の板面部によって柵の面方向に対して傾斜状の通風路が形成されている請求項１に記載の柵の構造。
【請求項３】
前記柵部材が２つの板面部によって断面略Ｖ字状に形成されたものであって、該柵部材のＶ字形状が柵の面方向に対して横方向となるように連続Ｖ字状に重合配置された請求項１又は２に記載の柵の構造。
【請求項４】
前記柵部材が３つの板面部によって断面略Ｙ字状に形成されたものであって、該柵部材のＹ字形状が柵の面方向に対して横方向となるように連続Ｙ字状に重合配置された請求項１又は２に記載の柵の構造。
【発明の詳細な説明】
【技術分野】
【０００１】
この発明は、塀や垣根等の構築用に用いられる柵（フェンス）の構造に関する。
【背景技術】
【０００２】
屋外の庭園の塀や垣根に各種の柵（フェンス）が用いられている。近年、外観性のよいものが強く求められる傾向にあるが、目隠し性や通風性はフェンスとして不可欠の基本的機能である。しかるに、この外観性や目隠し性、通風性の要求は、しばしば相反することもあり、すべての要請を同時に満たすことは容易ではない。
【０００３】
この課題を達成するものとして、例えば、縦断面Ｈ字型の横枠材と半透明の目隠し板とを通風用の隙間を介して配設してなるフェンスが提案されている。しかしながら、上の構造では、風の流れが目隠し板によって一旦遮断され、横枠材のＨ字溝の隙間によって通風性が得られのであるが、風の流通性がよくないことは多言を要しない。風の流通性を高めるために横枠材と目隠し板との隙間を大きくすると、目隠し性能が低下する。また、横枠材と目隠し板との複合材による構成は、製造上のコストや工程上の不利益もある。（例えば特許文献１参照）
【特許文献１】特開２００４-２０４４９９公報
【発明の開示】
【発明が解決しようとする課題】
【０００４】
この発明は、完全な目隠し性を確保することができるとともに、通風性も十分に確保することができ、かつ外観上もユニークで、経済性や製造工程上も有利な柵の構造を提供するものである。
【課題を解決するための手段】
【０００５】
すなわち、請求項１の発明は、複数の板部材が長手方向に連接されてなる柵部材が端枠部内に並設された柵であって、前記柵部材は、互いに非接触であるとともに、前記板部材によって柵の面方向すべてに対して透視性が遮断される位置関係で重合配置されていることを特徴とする柵の構造に係る。
【０００６】
また、請求項２の発明は、前記柵部材の板面部によって柵の面方向に対して傾斜状の通風路が形成されている請求項１に記載の柵の構造に係る。
【０００７】
請求項３の発明は、前記柵部材が２つの板面部によって断面略Ｖ字状に形成されたものであって、該柵部材のＶ字形状が柵の面方向に対して横方向となるように連続Ｖ字状に重合配置された請求項１又は２に記載の柵の構造に係る。
【０００８】
さらに、請求項４の発明は、前記柵部材が３つの板面部によって断面略Ｙ字状に形成されたものであって、該柵部材のＹ字形状が柵の面方向に対して横方向となるように連続Ｙ字状に重合配置された請求項１又は２に記載の柵の構造に係る。
【発明の効果】
【０００９】
請求項１の発明によれば、複数の板部材が長手方向に連接されてなる柵部材が互いに非接触であるので、通風性が確保されているとともに、前記板部材によって柵の面方向すべてに対して透視性が遮断される位置関係で重合配置されていることより、柵としての完全な目隠し性が確保される。また、柵部材は複数の板部材が長手方向に連接されてなるのであるから、板部材の配置によりユニークな外観性が得られる一方において、経済性や製造工程上の有利性がある。
【００１０】
請求項２の発明によれば、前記柵部材の板面部によって柵の面方向に対して傾斜状の通風路が形成されているものであるから、直交状の通風路に比して、通風効果に優れかつ通風の効率も高い。
【００１１】
請求項３の発明によれば、前記柵部材が２つの板面部によって断面略Ｖ字状に形成されたものであって、該柵部材のＶ字形状が柵の面方向に対して横方向となるように連続Ｖ字状に重合配置されたものであるから、通風性と目隠し性を十分確保しながら、ユニークな外観性が得られかつ経済性に優れ製造工程上の有利性がある。
【００１２】
さらに、請求項４の発明によれば、前記柵部材が３つの板面部によって断面略Ｙ字状に形成されたものであって、該柵部材のＹ字形状が柵の面方向に対して横方向となるように連続Ｙ字状に重合配置されたものであるから、上と同様に、通風性と目隠し性を十分確保しながら、ユニークな外観性が得られかつ経済性に優れ製造工程上の有利性がある。
【発明を実施するための最良の形態】
【００１３】
以下添付の図面に従ってこの発明を詳細に説明する。
図１はこの発明の柵の構造の一実施例を示す一部を切欠いた斜視図、図２はその要部の拡大断面図、図３は柵部材の配置構造を表す断面図、図４はこの発明の他の実施例の柵構造を示す一部切欠斜視図、図５は図４の要部の拡大断面図、図６は図４の柵部材の配置構造を表す断面図である。
【００１４】
図１に図示したように、この発明の柵１０の構造は、複数の板部材２１，２２が長手方向に連接されてなる柵部材２０が端枠部１１，１２内に並設されたものであって、前記柵部材２０は、互いに非接触であるとともに、前記板部材２１，２２によって柵の面方向１０Ａすべてに対して透視性が遮断される位置関係で重合配置されていることを特徴とする。図において、符号１１Ａ，１２Ａは端枠部材１１，１２と一体に配された筒状の端部材、１３は柱部材である。
【００１５】
柵部材２０を構成する板部材２１，２２は、木、プラスチック、金属など、柵（フェンス）を構成するものであれば材質は問わない。また、柵１０を構成する他の部材は従来公知のもので、特に限定されるものでない。
【００１６】
柵部材２０は、図２及び図３からもよりよく理解されるように、互いに非接触に配置される。図示し請求項２の発明として規定したように、柵部材２０の板面部２３，２４によって柵１０の面方向１０Ａに対して傾斜状の通風路Ｂが形成されているものが、好ましい。前記したように、傾斜状の通風路Ｂは、直交状の通風路に比して、通風効果に優れ高くかつ通風の効率も高いからである。なお、図２において符号Ｓ１、Ｓ２、Ｓ３は柵を構成する端枠部材及び柱部材の取付部材である。
【００１７】
この実施例の柵部材２０は、請求項３の発明として規定したように、柵部材２０が２つの板面部２３，２４によって断面略Ｖ字状に形成されたものであって、該柵部材２０のＶ字形状が柵の面方向１０Ａに対して横方向となるように連続Ｖ字状に重合配置されている。このように配置することによって、板部材２１，２２によって柵の面方向１０Ａすべてに対して透視性が遮断される位置関係を簡単に作出することができる。
【００１８】
図３の符号Ａ１とＡ２は、柵１０の表裏面方向からの視認直線を示すものであるが、横方向の連続Ｖ字状に配置された柵部材２０，２０において、一の柵部材２０のＶ溝内に他の柵部材のＶ底部をわずかに重合することによって、柵の面方向１０Ａすべてに対して透視性を遮断することができる。同時に、符号Ｂ１，Ｂ２の通風線で示したように、前記傾斜状の通風路Ｂが効果的に形成されて、柵の垂直方向１０Ｓの風を効果的に流通させることができる。
【００１９】
なお、断面Ｖ字状の柵部材２０のＶ字角度αは、上に述べた透視遮断性と通風性を考慮して、重量や経済性さらには製造効率等を勘案して決定されるが、概ね４５度から９０度位が一般的である。この実施例のＶ字角度αは約６０度である。
【００２０】
図４ないし図６は、請求項４の発明として規定したように、前記柵部材３０が３つの板面部３４，３５、３６によって断面略Ｙ字状に形成され、該柵部材のＹ字形状が柵１５の面方向１５Ａに対して横方向となるように連続Ｙ字状に重合配置されたものである。図のように、Ｖ字を構成する板面部３４，３５に縦部の板面部３６が連接されることによって、一つの柵部材３０によって横方向の距離を大きくとることができ、柵全体の重量を減じ経済性を高めることが可能となる。なお、図４ないし図６において符号３１、３２、３３は柵部材３０を構成する板部材である。
【００２１】
図５及び図６からわかるように、横方向の連続Ｙ字状に配置された柵部材３０，３０の一の柵部材３０のＶ溝部（板面部３４、３５）内に他の柵部材３０の縦部（板面部３６）の先端を重合することによって、柵１５の表裏面方向からの視線Ａ１とＡ２のすべてを遮断することができる。同時に、通風線Ｂ１，Ｂ２のように、前記した傾斜状の通風路Ｂが形成されて、柵の垂直方向１５Ｓの風を効果的に流通させることができる。
【００２２】
このように、この発明の構造によれば、通風性と目隠し性という相反する機能を十分確保しながら、従来にないユニークな柵の外観が得られる。加えて、簡単な構造で、素材上も有利で、経済性に優れ、製造工程上の有利性も大きい。
【図面の簡単な説明】
【００２３】
【図１】この発明の柵の構造の一実施例を示す一部を切欠いた斜視図である。
【図２】図１の要部の拡大断面図である。
【図３】図１の柵部材の配置構造を表す断面図である。
【図４】この発明の他の実施例の柵構造を示す一部切欠斜視図である。
【図５】図４の要部の拡大断面図である。
【図６】柵部材の配置構造を表す断面図である。
【符号の説明】
【００２４】
１０，１５  柵
１０Ａ，１５Ａ  面方向
１０Ｓ，１５Ｓ  垂直方向
１１，１２  端枠部
２０  柵部材
２１，２２，３１〜３３  板部材
２３，２４，３４〜３６  板面部
Ａ１，Ａ２  視認直線
Ｂ  通風路
【図１】
2007291712.tif 000003
【図２】
2007291712.tif 000004
【図３】
2007291712.tif 000005
【図４】
2007291712.tif 000006
【図５】
2007291712.tif 000007
【図６】
2007291712.tif 000008